(57)【要約】【課題】    本発明の目的は、設置が容易で、しかも、故障の少ない調光付き扉及び調光付き壁を提供するものである。【解決手段】    調光付き扉Ｄは、扉体１と、この扉体１の開口部に設けられ、印加電圧のＯＮ／ＯＦＦにより、透明／不透明に変化する調光体２と、直流電源４と、この直流電源４の直流電圧を交流電圧に変換し、調光体２に印加電圧を印加して調光を制御する調光制御手段５と、扉体１内又は外に設けられ、調光制御手段５のＯＮ／ＯＦＦをするスイッチ６とを備え、直流電源４及び調光制御手段５を扉体１に内蔵しているものである。【選択図】図２
2016061120.tif 000002
【特許請求の範囲】
【請求項１】
扉体と、
この扉体の開口部に設けられ、印加電圧のＯＮ／ＯＦＦにより、透明／不透明に変化する調光体と、
直流電源と、
この直流電源の直流電圧を交流電圧に変換し、前記調光体に印加電圧を印加して調光を制御する調光制御手段と、
前記扉体内又は外に設けられ、前記調光制御手段のＯＮ／ＯＦＦをするスイッチとを備え、
前記直流電源及び前記調光制御手段を前記扉体に内蔵している
ことを特徴とする調光付き扉。
【請求項２】
調光制御手段は、直流電源の電圧を昇圧する昇圧手段と、この昇圧手段により昇圧された直流電圧を交流電圧に変換する直流交流変換手段とを備え、この直流交流変換手段により変換された交流電圧を調光体に印加する
ことを特徴とする請求項１記載の調光付き扉。
【請求項３】
調光制御手段をＯＮ／ＯＦＦするスイッチの動作は、扉体の表側及び裏側から操作できる
ことを特徴とする請求項１記載の調光付き扉。
【請求項４】
扉体が片引戸であり、
調光制御手段をＯＮ／ＯＦＦするスイッチの動作は、前記扉体の表側及び裏側から操作できる
ことを特徴とする請求項１記載の調光付き扉。
【請求項５】
壁体と、
この壁体の開口部に設けられ、印加電圧のＯＮ／ＯＦＦにより、透明／不透明に変化する調光体と、
直流電源と、
この直流電源の直流電圧を交流電圧に変換し、前記調光体に印加電圧を印加して調光を制御する調光制御手段と、
前記壁体内又は外に設けられ、前記調光制御手段のＯＮ／ＯＦＦをするスイッチとを備え、
前記直流電源及び前記調光制御手段を前記壁体に内蔵している
ことを特徴とする調光付き壁。
【発明の詳細な説明】
【技術分野】
【０００１】
本発明は、調光付き扉及び調光付き壁に係り、特に、設置が容易で、しかも、故障の少ない調光付き扉及び調光付き壁に関する。
【背景技術】
【０００２】
従来、扉の調光パネルを透明にしたり不透明にしたりするために、扉体の外部から扉体の内部に電気配線を引き込んで、電源を外部から供給する可逆透過式安全扉がある（特許文献１参照）。
【先行技術文献】
【特許文献】
【０００３】
【特許文献１】実開平５−８７１９８号公報
【発明の概要】
【発明が解決しようとする課題】
【０００４】
ところが、上記可逆透過式安全扉にあっては、特許文献１の図５及び図６に示すように、電源（Ｆ）を扉材（１）の外部から供給するため、縁枠部材（４１）に第１コネクタ（５）、扉材（１）に第２コネクタ（６）を個別的に設け、第１コネクタ（５）と第２コネクタ（６）とを接触、非接触せねばならず、電源的に可逆透過式安全扉が独立しておらず、外部から電気を供給するため、設置が容易ではなく、しかも、上記可逆透過式安全扉は回動し、該扉は電気配線により外部と接続されているため、電気配線の途中で損傷を受け易く故障の要因となるという問題点が生じた。
【０００５】
本発明は、上記の問題点を考慮してなされた調光付き扉及び調光付き壁を提供することを目的とする。
【課題を解決するための手段】
【０００６】
請求項１記載の調光付き扉は、扉体と、この扉体の開口部に設けられ、印加電圧のＯＮ／ＯＦＦにより、透明／不透明に変化する調光体と、直流電源と、この直流電源の直流電圧を交流電圧に変換し、前記調光体に印加電圧を印加して調光を制御する調光制御手段と、前記扉体内又は外に設けられ、前記調光制御手段のＯＮ／ＯＦＦをするスイッチとを備え、前記直流電源及び前記調光制御手段を前記扉体に内蔵しているものである。
【０００７】
また、請求項２記載の調光付き扉は、請求項１記載の調光付き扉において、調光制御手段は、直流電源の電圧を昇圧する昇圧手段と、この昇圧手段により昇圧された直流電圧を交流電圧に変換する直流交流変換手段とを備え、この直流交流変換手段により変換された交流電圧を調光体に印加するものである。
【０００８】
また、請求項３記載の調光付き扉は、請求項１記載の調光付き扉において、調光制御手段をＯＮ／ＯＦＦするスイッチの動作は、扉体の表側及び裏側から操作できるものである。
【０００９】
また、請求項４記載の調光付き扉は、請求項１記載の調光付き扉において、扉体が片引戸であり、調光制御手段をＯＮ／ＯＦＦするスイッチの動作は、前記扉体の表側及び裏側から操作できるものである。
【００１０】
また、請求項５記載の調光付き壁は、壁体と、この壁体の開口部に設けられ、印加電圧のＯＮ／ＯＦＦにより、透明／不透明に変化する調光体と、直流電源と、この直流電源の直流電圧を交流電圧に変換し、前記調光体に印加電圧を印加して調光を制御する調光制御手段と、前記壁体内又は外に設けられ、前記調光制御手段のＯＮ／ＯＦＦをするスイッチとを備え、前記直流電源及び前記調光制御手段を前記壁体に内蔵しているものである。
【発明の効果】
【００１１】
請求項１記載の調光付き扉によれば、扉体と、この扉体の開口部に設けられ、印加電圧のＯＮ／ＯＦＦにより、透明／不透明に変化する調光体と、直流電源と、この直流電源の直流を交流に変換し、前記調光体に印加電圧を印加して調光を制御うる調光制御手段と、前記扉体内又は外に設けられ、前記調光制御手段のＯＮ／ＯＦＦをするスイッチとを備え、前記直流電源及び前記調光制御手段を前記扉体に内蔵している、つまり、調光制御手段及び直流電源を扉体に内蔵して、調光付き扉自体で独立しているため、扉体の外部から扉体の内部に電気配線を引き込んで、電源を外部から供給するものに比較し、調光付き扉の設置が容易で、しかも、故障の少ない調光付き扉を得ることができる。
【００１２】
また、請求項２記載の調光付き扉によれば、上述の請求項１記載の発明の効果に加え、調光制御手段は、直流電源の電圧を昇圧する昇圧手段を備えているから、直流電源は小電圧のもので良く、調光制御手段及び直流電源を扉体にコンパクトに内蔵することができる。
【００１３】
また、請求項３記載の調光付き扉によれば、上述の請求項１記載の発明の効果に加え、調光制御手段をＯＮ／ＯＦＦするスイッチの動作は、扉体の表側及び裏側から操作できるため、扉体を開閉しないで、扉体の内側からＯＮ／ＯＦＦするスイッチをＯＮして扉体の外側の状況を把握することができ、また、扉体の外側からＯＮ／ＯＦＦするスイッチをＯＮして扉体の内側の状況を把握することができる。
【００１４】
また、請求項４記載の調光付き扉によれば、上述の請求項１記載の発明の効果に加え、調光制御手段をＯＮ／ＯＦＦするスイッチの動作は、扉体の表側及び裏側から操作できるため、戸を開けた際に袖壁がある側から見て引手が左にある左引手にも、戸を開けた際に袖壁がある側から見て引手が右にある右引手にも、一つの調光付き扉で対応することができる。
【００１５】
また、請求項５記載の調光付き壁によれば、壁体と、この壁体の開口部に設けられ、印加電圧のＯＮ／ＯＦＦにより、透明／不透明に変化する調光体と、直流電源と、この直流電源の直流を交流に変換し、前記調光体に印加電圧を印加して調光を制御する調光制御手段と、前記壁体内又は外に設けられ、前記調光制御手段のＯＮ／ＯＦＦをするスイッチとを備え、前記直流電源及び前記調光制御手段を前記壁体に内蔵している、つまり、調光制御手段及び直流電源を扉体に内蔵して、調光付き壁自体で独立しているため、壁体の外部から壁体の内部に電気配線を引き込んで、電源を外部から供給するものに比較し、調光付き壁の設置が容易で、しかも、故障の少ない調光付き壁を得ることができる。
【図面の簡単な説明】
【００１６】
【図１】図１は、本発明の一実施例の窓付き扉体の概略的斜視図である。
【図２】図２は、図１の一部を分解して窓付き扉体の概略的一部分解斜視図である。
【図３】図３は、図１の窓付き扉体に組み込まれる調光制御手段の概略的ブロック図である。
【発明を実施するための形態】
【００１７】
本発明の一実施例の調光付き扉を図面（図１乃至図３）を参照して説明する。
図１に示すＤは調光付き扉で、調光付き扉Ｄは、扉体１と、この扉体１の開口部に設けられ、印加電圧のＯＮ／ＯＦＦにより、透明／不透明に変化する調光体２と、取っ手３とを備えている。
【００１８】
調光体２は、例えば、透明なアクリル板に調光フィルムを貼着したもので、調光体２の直流電源４、調光制御手段５は、扉体１に内蔵されている。図１及び図２に示す７は、蓋体である。
直流電源４は、例えば、電池、蓄電池である。
また、調光制御手段５は、直流電源の直流電圧を交流電圧に変換し、調光体２に印加電圧を印加して調光を制御するもので、
具体的には、図２及び図３に示すように、直流電源の電圧を昇圧する昇圧手段５１と、この昇圧手段５１により昇圧された直流電圧を交流電圧に変換する直流交流変換手段５２とを備え、この直流交流変換手段５２により変換された交流電圧を調光体２に印加するようにしている。
特に、調光制御手段５は、直流電源４の電圧を昇圧する昇圧手段５１を備えているから、直流電源４は小電圧のもので良く、直流電源４及び調光制御手段５を扉体１にコンパクトに内蔵することができる（図１及び図２参照）。
【００１９】
また、図３に示す６は、調光制御手段５のＯＮ／ＯＦＦをするスイッチで、スイッチ６は、本実施例のものは、扉体１に内蔵され、例えば、マグネットの磁力によりＯＮ／ＯＦＦをするスイッチであり、操作者が電磁キー(図示せず)をスイッチ６に近接させることによりＯＮすることにより、曇りモードの調光体２を透明モードとするものである。
スイッチ６は、磁気以外に作動するスイッチとしては、例えば、人間の指が触れることによりＯＮする静電容量式近接スイッチ（タッチスイッチ）でも、また、扉体１の外に設けられるシーソースイッチ(図示せず)等でも良い。
【００２０】
従って、上述した調光付き扉Ｄによれば、扉体１と、この扉体１の開口部に設けられ、印加電圧のＯＮ／ＯＦＦにより、透明（透明モード）／不透明（曇りモード）に変化する調光体２と、直流電源４と、この直流電源４の直流を交流に変換し、調光体２に印加電圧を印加して調光を制御する調光制御手段５と、扉体１内又は外に設けられ、調光制御手段５のＯＮ／ＯＦＦをするスイッチ６とを備え、直流電源４及び調光制御手段５を扉体１に内蔵して、調光付き扉自体独立している、つまり、直流電源４及び調光制御手段５を扉体１に内蔵して独立しているため、従来のような「扉体の外部から扉体の内部に電気配線を引き込んで、電源を外部から供給するもの」に比較し、調光付き扉Ｄの設置が容易で、しかも、故障の少ない調光付き扉Ｄを得ることができる。
例えば、調光付き扉Ｄを介護施設に設置することにより、限られた人(例えば、看護師)が上述の電磁キーを所持し、扉体１を開閉しないで、電磁キーを使って調光体２を透明モードにして、扉体１の外部から扉体１の内部を確認することができ、ケアされる側同士のプライバシーが保護されると共に、ケアする人にかかっていた負担(例えば、扉体１を開閉しない等）を軽減することができる。
【００２１】
また、調光制御手段５をＯＮ／ＯＦＦするスイッチ６の動作を扉体１の表側及び裏側から操作できるようにすることができる。かかる場合、扉体１を開閉しないで、扉体１の内側からＯＮ／ＯＦＦするスイッチ６をＯＮして扉体１の外側の状況を把握することができ、また、逆に、扉体１の外側からＯＮ／ＯＦＦするスイッチ６をＯＮして扉体１の内側の状況を把握することができる。
また、扉体１が片引戸の場合、調光制御手段５をＯＮ／ＯＦＦするスイッチ６を扉体の表側及び裏側から操作できるようにすると、戸を開けた際に袖壁がある側から見て引手が左にある左引手にも、戸を開けた際に袖壁がある側から見て引手が右にある右引手にも、一つの調光付き扉Ｄで対応することができる。
【００２２】
また、上述した実施例においては、調光付き扉Ｄについて説明したが、本願発明にあっては、扉に限らず、部屋を仕切る壁(図示せず)にも同様に適用して、調光付き壁とすることができる。
調光付き壁の場合、上述の扉体１が壁体になり、取っ手３を省略すれば、調光付き扉Ｄと同様であるので、その説明を省略する。
【符号の説明】
【００２３】
Ｄ      調光付き扉
１      扉体
２      調光体
４      直流電源
５      調光制御手段
６      スイッチ
【図１】
2016061120.tif 000003
【図２】
2016061120.tif 000004
【図３】
2016061120.tif 000005